(57)【要約】【課題】高周波受信部内に設けたＳＡＷフィルタの入出力間で発生するクロストークを改善することを目的としたものである。【解決手段】高周波信号が入力される混合器１０９と、この混合器１０９からの中間周波信号が入力されるＩＦ増幅器１１１と、このＩＦ増幅器１１１からの出力信号が信号ライン１３２、１１４、１１５を介して入力されるＳＡＷフィルタ１１９と、このＳＡＷフィルタ１１９から出力される平衡出力信号が信号ライン１２５、１２７を介して供給される平衡型増幅器１２９と、この平衡型増幅器１２９からの平衡出力信号が供給される出力端子１３０、１３１を備え、信号ライン１３２、１１４、１１５の長さは信号ライン１２５、１２７の長さより共に短く設定し、信号ライン１３２、１１４、１１５と、信号ライン１２５との間にグランドパターン１３４を設ける。【選択図】図１
2010183403.tif 000002
【特許請求の範囲】
【請求項１】
高周波信号が入力される混合器と、この混合器からのＩＦ（中間周波）信号が入力されるＩＦ増幅器と、このＩＦ増幅器からの出力信号が第１の信号ラインを介して入力されるフィルタと、このフィルタから出力される平衡出力信号が第２、第３の信号ラインをそれぞれ介して供給される平衡型増幅器と、この平衡型増幅器からの平衡出力信号が供給される出力端子とを備え、前記ＩＦ増幅器から前記フィルタの入力までの第１の信号ラインの長さは前記フィルタの出力から前記平衡型増幅器までの第２の信号ラインおよび第３の信号ラインの長さより共に短く設定し、前記第１の信号ラインと、前記第２、第３の信号ラインのうち前記第１の信号ラインに近接する第２の信号ラインとの間に第１のグランドパターンを設けた高周波受信部。
【請求項２】
前記フィルタは２種類の異なる帯域特性を有する帯域選択型フィルタとし、前記帯域選択型フィルタの第１、第２の入力と前記ＩＦ増幅器との間には、前記第１、第２の入力の選択が可能なスイッチを設けた請求項１に記載の高周波受信部。
【請求項３】
前記第３の信号ラインに近接して前記第２の信号ラインと反対側の第２のグランドパターンを設け、前記第２のグランドパターンと第３のグランドパターンの間にインピーダンス素子を接続した請求項１に記載の高周波受信部。
【請求項４】
前記インピーダンス素子には、ショート抵抗のチップ部品を用いた請求項１に記載の高周波受信部。
【請求項５】
前記インピーダンス素子には、コンデンサのチップ部品を用いた請求項１に記載の高周波受信部。
【請求項６】
前記フィルタを基板の一方の面から挿入し、少なくとも前記混合器、前記ＩＦ増幅器、前記平衡型増幅器からなる集積回路を他方の面に装着し、前記第１、第２、第３の信号ラインを前記基板の他方の面に形成した請求項１に記載の高周波受信部。
【請求項７】
前記フィルタを基板の他方の面に装着し、少なくとも前記混合器、前記ＩＦ増幅器、前記平衡型増幅器からなる集積回路を基板の他方の面に装着し、前記第１、第２、第３の信号ラインを前記基板の他方の面に形成した請求項１に記載の高周波受信部。
【発明の詳細な説明】
【技術分野】
【０００１】
本発明は、テレビジョンの信号を受信する高周波受信部に関するものである。
【背景技術】
【０００２】
以下、従来の高周波受信部について説明する。
【０００３】
図５は従来の高周波受信部のブロック図である。図５において、従来の高周波受信部１は、アンテナ２からの高周波信号が入力される入力端子３と、この入力端子３に入力された高周波信号が供給される高周波増幅器５と、この高周波増幅器５の出力がその一方の入力に供給されるとともに他方の入力には局部発振器７の出力が供給される混合器９と、この混合器９から出力されるＩＦ信号が供給されるＩＦ増幅器１１と、このＩＦ増幅器１１からの不平衡出力であるＩＦ信号が共通端子１３ａに接続されるスイッチ１３と、このスイッチ１３の一方の出力端子１３ｂが入力端子１５に接続されるとともに他方の出力端子１３ｃが入力端子１７に接続されるフィルタ１９と、このフィルタ１９に設けられるとともにグランドに接続されるグランド端子１９ａと、このフィルタ１９の平衡出力である出力端子２０、２１と、この出力端子２０、２１からの平衡出力であるＩＦ信号が供給される平衡型増幅器２２と、この平衡型増幅器２２からの平衡出力であるＩＦ信号が供給される出力端子２３、２４を有する構成であった。
【０００４】
また、ＩＦ増幅器１１からの不平衡出力であるＩＦ信号は、スイッチ１３により、フィルタ１９の入力端子１５、１７のどちらか一方に選択されて入力される。
【０００５】
なお、この出願の発明に関連する先行技術文献情報としては、例えば、特許文献１が知られている。
【特許文献１】特開２００６−３５２９０７号公報
【発明の開示】
【発明が解決しようとする課題】
【０００６】
しかしながらこのような従来の高周波受信部において、ＩＦ増幅器１１からスイッチ１３の共通端子１３ａまでの信号ライン２５、スイッチ１３の出力端子１３ｂ、１３ｃからフィルタ１９の入力端子１５、１７までのそれぞれの信号ライン２７、２９は配線を簡略化するため不平衡とし、フィルタ１９の出力端子２０、２１から平衡型増幅器２２までの信号ライン３１、３２は外部から流入する妨害信号に強い平衡回路としている。
【０００７】
このため、フィルタ１９の周辺において、この不平衡の信号ライン２５、２７、２９と、平衡の信号ライン３１、３２との間には容量結合あるいは誘導結合によるクロストーク（入力出力間の信号漏れ）が発生した。このため、フィルタ１９の通過帯域以外の減衰特性が大幅に劣化した。
【０００８】
特に、小型サイズ化とした高周波受信部においては、不平衡の信号ライン２５、２７、２９と平衡の信号ライン３１、３２との間が近接するため、フィルタ１９による妨害信号の抑圧が劣化して受信品質の劣化が発生した。
【０００９】
そこで本発明は、この問題を解決したもので、フィルタの入出力間のクロストークを改善した高周波受信部を実現することを目的としたものである。
【課題を解決するための手段】
【００１０】
この目的を達成するために本発明の高周波受信部は、高周波信号が入力される混合器と、この混合器からの中間周波信号が入力されるＩＦ（中間周波）増幅器と、このＩＦ増幅器からの出力信号が第１の信号ラインを介して入力されるフィルタと、このフィルタから出力される平衡出力信号が第２、第３の信号ラインをそれぞれ介して供給される平衡型増幅器と、この平衡型増幅器からの平衡出力信号が供給される出力端子とを備え、前記ＩＦ増幅器から前記フィルタの入力までの第１の信号ラインの長さは前記フィルタの出力から前記平衡型増幅器までの第２の信号ラインおよび第３の信号ラインの長さより共に短く設定し、前記第１の信号ラインと、前記第２、第３の信号ラインのうち前記第１の信号ラインに近接する第２の信号ラインとの間に第１のグランドパターンを設けた。
【００１１】
これにより、所期の目的を達成することができる。
【発明の効果】
【００１２】
以上のように本発明によれば、高周波受信部は、高周波信号が入力される混合器と、この混合器からの中間周波信号が入力されるＩＦ（中間周波）増幅器と、このＩＦ増幅器からの出力信号が第１の信号ラインを介して入力されるフィルタと、このフィルタから出力される平衡出力信号が第２、第３の信号ラインをそれぞれ介して供給される平衡型増幅器と、この平衡型増幅器からの平衡出力信号が供給される出力端子とを備え、前記ＩＦ増幅器から前記フィルタの入力までの第１の信号ラインの長さは前記フィルタの出力から前記平衡型増幅器までの第２の信号ラインおよび第３の信号ラインの長さより共に短く設定し、前記第１の信号ラインと、前記第２、第３の信号ラインのうち前記第１の信号ラインに近接する第２の信号ラインとの間に第１のグランドパターンを設けた。
【００１３】
このように、ＩＦ増幅器からフィルタの入力までの第１の信号ラインの長さはフィルタの出力から平衡型増幅器までの第２の信号ラインおよび第３の信号ラインの長さより共に短く設定することにより、第１の信号ラインからのＩＦ（中間周波）信号の輻射を最小限とできる。
【００１４】
さらに、第１の信号ラインと、第２、第３の信号ラインのうち第１の信号ラインに近接する信号ラインとの間にグランドパターンを設けることにより、クロストークを低減することができる。
【００１５】
従って、第１の信号ラインと第２の信号ラインの間隔、あるいは第１の信号ラインと第３の信号ラインとの間隔を近接して配置することができるので、小型化サイズの高周波受信部を実現することができる。
【発明を実施するための最良の形態】
【００１６】
（実施の形態１）
図１は、本発明の実施の形態１における高周波受信部のブロック図である。なお、フィルタ１１９として、例えばＳＡＷフィルタを用いた場合を以下説明する。
【００１７】
この図１において、高周波受信部１０１は、アンテナ１０２からの高周波信号が入力される入力端子１０３と、この入力端子１０３に入力された信号が供給される高周波増幅器１０５と、この高周波増幅器１０５の出力がその一方の入力に供給されるとともに他方の入力には局部発振器１０７の出力が供給される混合器１０９と、この混合器１０９からの不平衡出力であるＩＦ信号が供給されるＩＦ増幅器１１１と、このＩＦ増幅器１１１からの不平衡出力であるＩＦ信号が共通端子１１３ａに供給されるスイッチ１１３と、このスイッチ１１３の出力端子１１３ｂ、１１３ｃが入力端子１１６、１１７をそれぞれ介して接続されるＳＡＷフィルタ１１９と、このＳＡＷフィルタ１１９からの平衡出力であるＩＦ信号が出力される出力端子１２３、１２４と、この出力端子１２３、１２４からのＩＦ信号が供給される平衡型増幅器１２９と、この平衡型増幅器１２９からの平衡出力であるＩＦ信号が供給される出力端子１３０、１３１から構成されている。
【００１８】
また、ＩＦ増幅器１１１とスイッチ１１３の共通端子１１３ａの間は信号ライン１３２で接続され、スイッチ１１３の出力端子１１３ｂとＳＡＷフィルタ１１９の入力端子１１６の間は信号ライン１１４により接続され、スイッチ１１３の出力端子１１３ｃとＳＡＷフィルタ１１９の入力端子１１７の間は信号ライン１１５により接続されている。
【００１９】
さらに、ＳＡＷフィルタ１１９にはグランドに接続するためのグランド端子１３３が設けられ、このグランド端子１３３にはグランドパターン１３４、１３５が接続されている。
【００２０】
また、集積回路１３７は、高周波増幅器１０５、混合器１０９と、局部発振器１０７と、ＩＦ増幅器１１１と、平衡型増幅器１２９とを有している。なお、高周波増幅器１０５は外付けとしてもよい。
【００２１】
このように構成された高周波受信部１０１の動作について図１を用いて説明する。
【００２２】
高周波信号は、高周波増幅器１０５により利得制御されたのち混合器１０９に供給される。この混合器１０９では、局部発振器１０７の発振信号によりＩＦ（中間周波）信号に変換される。
【００２３】
このＩＦ信号は、ＩＦ増幅器１１１により増幅されたのち、スイッチ１１３によりＳＡＷフィルタ１１９の入力端子１１６、１１７のどちらか一方に入力される。
【００２４】
この入力端子１１６または１１７に入力される不平衡信号であるＩＦ信号は、ＳＡＷフィルタ１１９により妨害信号が抑圧されるとともに希望信号が選択される。
【００２５】
この希望信号を含むＩＦ信号は、平衡信号として出力端子１２３、１２４から出力され、信号ライン１２５、１２７を介して平衡型増幅器１２９に入力される。この平衡型増幅器１２９により増幅された平衡信号であるＩＦ信号は、出力端子１３０、１３１から出力される。
【００２６】
また、グランドパターン１３４は、信号ライン１３２、１１４、１１５と信号ライン１２５の間に配置されている。また、グランドパターン１３５は、信号ライン１２７に近接して信号ライン１２５と反対側に配置されている。
【００２７】
このようにして、信号ライン１２５、１２７は、それぞれの電気長を同じにし、かつグランドパターン１３４、１３５を対称に配置している。これにより、信号ライン１２５、１２７を互いに平衡とできるので、例えば外部から妨害信号が流入した場合には、平衡型増幅器により位相キャンセルできる。
【００２８】
ところが、この信号ライン１２５、１２７あるいはグランドパターン１３４、１３５は完全に対称の配置にできない。この場合には、信号ライン１３２、１１４、１１５からのＩＦ信号が信号ライン１２５、１２７に飛び込んだ場合には、通過帯域外の選択特性が劣化することになる。
【００２９】
次に、ＳＡＷフィルタ１１９の入力から出力までの選択特性を劣化させるクロストーク（入出力間の信号漏れ）について以下説明する。
【００３０】
図２（ａ）は、ＳＡＷフィルタ１１９の入力から出力までの選択特性を示す図である。図２（ａ）において、横軸１５１は周波数を表し、縦軸１５２は損失を表す。また、従来例における選択特性１５４を破線で表し、本実施形態における選択特性１５６を実線で表している。
【００３１】
この従来例における選択特性１５４では、図５において入力側の信号ライン２５、２７、２９と、出力側の信号ライン３１、３２の間に浮遊容量が発生してクロストークが大きくなって、帯域外選択特性１５９となり例えば６０ｄＢとなって劣化する。
【００３２】
これに対して、本実施の形態では、図１に示すように入力側の信号ライン１３２、１１４、１１５と、出力側の信号ライン１２５、１２７の間に発生する浮遊容量を小さくするために、両者の間にグランドパターン１３４を設けている。
【００３３】
また、クロストークは、入出力間の浮遊容量だけでなく、入力側の信号ライン１３２、１１４、１１５から輻射されたＩＦ信号が出力側の信号ライン１２５、１２７に直接飛び込むことが考えられる。
【００３４】
すなわち、ＩＦ増幅器１１１から信号ライン１３２、１１４、１１５に入力される不平衡であるＩＦ信号は、高周波増幅器１０５、混合器１０９、ＩＦ増幅器１１１により増幅されているので大きな信号レベルに利得制御されている。
【００３５】
これに対して、ＳＡＷフィルタ１１９の出力端子１２３、１２４から信号ライン１２５、１２７に入力される平衡のＩＦ信号は、ＳＡＷフィルタの挿入損失により例えば２０ｄＢ程度減衰されている。
【００３６】
このように、入力側の信号ライン１３２、１１４、１１５からはＩＦ信号レベルが輻射され、信号ライン１２５、１２７に飛び込むことが発生する。この信号ライン１２５、１２７への飛び込み量を小さくするためには、ＩＦ増幅器１１１の出力とＳＡＷフィルタ１１９の入力端子１１６、１１７までの信号長をできるだけ短くすればよい。
【００３７】
すなわち、ＩＦ増幅器１１１の出力端子１１１ａにＳＡＷフィルタ１１９の入力端子１１６、１１７を近接して配置すればよい。これにより、ＩＦ増幅器１１１の出力とＳＡＷフィルタ１１９の入力端子１１６、１１７までの信号長は、ＳＡＷフィルタ１１９の出力端子１２３、１２４から平衡型増幅器１２９の入力までの信号長より短くなる。
【００３８】
このようにして、グランドパターン１３４を設け、またＩＦ増幅器１１１の出力とＳＡＷフィルタ１１９の入力端子１１６、１１７までの信号長をできるだけ短くする。これにより、クロストークを小さくできるので、選択特性１６１として帯域外の選択特性を例えば８０ｄＢ以上とできる。
【００３９】
以上のように、ＩＦ増幅器１１１からＳＡＷフィルタ１１９の入力端子１１６または１１７までの信号ライン１３２、１１４の長さ、あるいは信号ライン１３２、１１５の長さは、ＳＡＷフィルタ１１９の出力端子１２３または１２４から平衡型増幅器１２９の入力までの信号ライン１２５または１２７の長さより短く配置することにより、信号ライン１３２、１１４、１１５からのＩＦ信号の輻射を最小限とできる。
【００４０】
さらに、信号ライン１２５と、この信号ライン１２５に近接する信号ライン１３２、１１４、１１５との間にグランドパターン１３４を設けることにより、クロストークを低減することができる。
【００４１】
これにより、信号ライン１３２、１１４、１１５と信号ライン１２５、１２７との間隔を近接して配置することができるので、小型化サイズの高周波受信部１０１を実現することができる。
【００４２】
なお、ＳＡＷフィルタ１１９を基板の一方の面から挿入し、集積回路１３７を基板の他方の面に装着し、信号ライン１３２、１１４、１１５、１２５、１２７を基板の他方の面に形成することができる。
【００４３】
また、ＳＡＷフィルタ１１９を基板の他方の面に装着し、集積回路１３７を基板の他方の面に装着し、信号ライン１３２、１１４、１１５、１２５、１２７を基板の他方の面に形成することができる。
【００４４】
これにより、他方の面にのみ銅箔パターンが形成されたプリント基板を用いることになり、より安価な高周波受信部１０１を実現できる。
【００４５】
さらに、ＩＦ増幅器１１１は削除してもよい。この場合には、混合器１０９の出力がスイッチ１１３に直接接続される。
【００４６】
（実施の形態２）
図３は、本発明の実施の形態２における高周波受信部１５３のブロック図である。実施の形態１の高周波受信部１０１に対して、本実施の形態では、グランドパターン１３４と１３５の間にインピーダンス素子としてのチップ部品１５５を装着している点が異なる。なお、図３で使用した部品について、図１と同じものについては同一の番号を付して説明を簡略化している。
【００４７】
図３において、グランドパターン１３４と１３５の間であって、信号ライン１２５および１２７に対して直角であって、また近接してチップ部品１５５を装着することにより、ＳＡＷフィルタ１１９の入出力選択特性をさらに改善できる。
【００４８】
例えば、チップ部品１５５に０Ωのショート抵抗を用いることにより、図２（ｂ）の入出力選択特性１６７とできる。
【００４９】
この理由は、信号ライン１２５、１２７を０Ωのショート抵抗によりグランドパターンによるシールド効果が改善され、信号ライン１３２、１１４、１１５から信号ライン１２５、１２７への飛び込み量を抑えることができたと考えられる。
【００５０】
また、チップ部品１５５を０Ωのショート抵抗の代わりに任意の値のコンデンサとした場合には、図２（ｂ）の入出力選択特性１６７となって吸収型のトラップを帯域外に形成することができる。このコンデンサの容量値は、例えば１２００ｐＦを用いている。
【００５１】
この理由は、グランドパターン１３４及び１３５によるインダクタンスと、コンデンサにより吸収型のトラップを形成できることが考えられる。
【００５２】
（実施の形態３）
図４は、本発明の実施の形態３における高周波受信部２０１のブロック図である。実施の形態１の高周波受信部１０１では、異なる種類の帯域を有するＳＡＷフィルタ１１９をスイッチ１１３により選択できる構成としたが、本実施の形態では一種類の帯域を有するＳＡＷフィルタ２１９を用いている点が異なる。
【００５３】
なお、図４で使用した部品について、図１と同じものについては同一の番号を付して説明を簡略化している。
【００５４】
図４において、ＩＦ増幅器１１１とＳＡＷフィルタ２１９は、信号ライン２３３により接続できるので、さらに短くすることができる。
【００５５】
この場合においても、信号ライン２３３と信号ライン２２５、２２７の関係は実施の形態１と同様である。
【００５６】
すなわち、ＩＦ増幅器１１１からＳＡＷフィルタ２１９の入力端子２１６までの信号ライン２３３の長さは、ＳＡＷフィルタ２１９の出力端子２２３または２２４から平衡型増幅器１２９の入力までの信号ライン２２５または信号ライン２２７の長さより短く配置することにより、第１の信号ラインからのＩＦ信号の輻射を最小限とできる。
【００５７】
さらに、信号ライン２３３と信号ライン２３３に近接する信号ライン２２５の間にグランドパターン１３４を設けることにより、クロストークを低減することができる。
【００５８】
これにより、信号ライン２３３と信号ライン２２５、２２７との間隔を近接して配置することができるので、小型化サイズの高周波受信部２０１を実現することができる。
【産業上の利用可能性】
【００５９】
本発明にかかる高周波受信部は、小型化サイズとできるので、例えば携帯電話用のテレビ受信装置に用いることができる。
【図面の簡単な説明】
【００６０】
【図１】本発明の実施の形態１における高周波受信部のブロック図
【図２】（ａ）同、ＳＡＷフィルタの入出力選択特性図、（ｂ）同、ＳＡＷフィルタの入出力選択特性図
【図３】本発明の実施の形態２における高周波受信部のブロック図
【図４】本発明の実施の形態３における高周波受信部のブロック図
【図５】従来の高周波受信部のブロック図
【符号の説明】
【００６１】
１０１  高周波受信部
１０９  混合器
１１１  ＩＦ増幅器
１１４  信号ライン
１１５  信号ライン
１１９  ＳＡＷフィルタ
１２９  平衡型増幅器
１３０  出力端子
１３１  出力端子
１３２  信号ライン
【図１】
2010183403.tif 000003
【図２】
2010183403.tif 000004
【図３】
2010183403.tif 000005
【図４】
2010183403.tif 000006
【図５】
2010183403.tif 000007